(57)【要約】【課題】使用済みで廃棄対象のエアゾール式製品のガス抜きを行なう際に、操作ボタンをステムから取り外すといった中間作業を不要にして、ガス抜きの作業手順の簡単化を図ることを目的とする。【解決手段】エアゾール容器のカバー体１３にガス抜き用の治具１４が一体成形されている。ガス抜きの際は、先ず、治具１４をカバー体１３から切り取ってその筒状部１４ｃを操作ボタン１６の噴口１６ａに続く凹状部１６ｂに嵌合させる。その後、操作ボタン１３および治具１４の一体物を押下げてその段部１４ｄをカバー体１３の内面縁部１３ｂに係合させる。この係合により、操作ボタンと一体のステムが内容物放出の作動モードと同じ状態に自己保持され、エアゾール容器の残留ガスは操作ボタン１６の噴口１６ａおよび治具１４の孔部１４ｂを経て外部空間に放出される。【選択図】図１
2006027719.tif 000002
【特許請求の範囲】
【請求項１】
エアゾール式製品の作動モード設定用のアクチュエータをその作動モード対応位置に保持して容器内部の残留ガスを外部空間に放出するためのガス抜き用治具において、
分離可能な状態でエアゾール容器と一体化され、
前記アクチュエータに取り付けられる被取付け部と、前記エアゾール容器に係合する被係合部とを少なくとも備えた、
ことを特徴とするエアゾール式製品のガス抜き用治具。
【請求項２】
作動モード時にも前記エアゾール容器の容器本体と嵌合したままのカバー体と一体成形されたものであり、
前記被取付け部として、既存の前記アクチュエータ自体の放出口側凹状部に対応の筒状部を形成した、
ことを特徴とする請求項１記載のエアゾール式製品のガス抜き用治具。
【請求項３】
エアゾール式製品の作動モード設定用のアクチュエータをその作動モード対応位置に保持することにより、容器内部の残留ガスを外部空間へ放出するガス抜き用構造において、
分離可能な状態でエアゾール容器と一体化されて、かつ、前記アクチュエータに取り付けられる被取付け部と、当該エアゾール容器に係合する被係合部とを少なくとも備えたガス抜き用治具を有し、
前記エアゾール容器は、前記ガス抜き用治具の前記被係合部に対する係合部を備えたものである、
ことを特徴とするガス抜き用構造。
【請求項４】
前記ガス抜き用治具は、作動モード時にも前記エアゾール容器の容器本体に嵌合したままのカバー体と一体成形され、かつ、前記被取付け部として既存の前記アクチュエータ自体の放出口側凹状部に対応の筒状部を形成したものである、
ことを特徴とする請求項３記載のガス抜き用構造。
【請求項５】
請求項３または４記載のガス抜き用構造を備え、かつ、放出用ガスおよび内容物を収容した、
ことを特徴とするエアゾール式製品。
【発明の詳細な説明】
【技術分野】
【０００１】
本発明は、エアゾール式製品を対象としたガス抜き用治具やガス抜き用構造などに関し、特にエアゾール式製品の作動モード（＝内容物放出状態）と、静止モード（＝内容物封止状態）とを選択的に設定するためのアクチュエータ自体を、ガス抜き用の作動モード対応位置に簡単に、また確実に保持して、この保持状態で、使用済みエアゾール（内容物を使い切って廃棄対象となったエアゾール式製品）の残留ガスが外部空間に放出されるようにしたガス抜き用治具やガス抜き用構造などに関する。
【０００２】
これらのガス抜き用治具やガス抜き用構造などは使用済みエアゾールを廃棄するときに初めて必要となり、まだ内容物が存在しているエアゾール式製品の使用段階ではまったくの不要品である。
【０００３】
そのため、ガス抜き用治具などの形状・構造は、エアゾール式製品の通常の使用段階では内容物放出動作の障害とならず、また利用者にとっていわば目障りにもならず、そして最終的な廃棄段階では利用者が特別探すことなしにもそれを手にできて使用済みエアゾールに簡単にセットできるようになっていることが望ましく、本発明はこの要請に応えるものである。
【０００４】
なお、本明細書では、エアゾール式製品およびエアゾール容器，容器本体，アクチュエータ，バルブなどの各用語を、概略次のような関連性の下で使っている。
【０００５】
すなわち、
・エアゾール式製品は、エアゾール容器に後述の放出対象内容物や放出用ガスを収容して使用可能状態に設定済みのものであり、
・エアゾール容器は、容器本体にバルブやアクチュエータを取り付けたものであり、
・容器本体は、マウンティングカップ取り付け用の開口部を持つ缶形状のものであり、
・バルブは、エアゾール式製品の作動モード／静止モードを設定するための機構であってマウンティングカップやハウジング，ステム，ステムガスケットなどからなり、
・アクチュエータは、バルブと連結して内容物を放出するための作動部であって操作ボタンやスパウトなどが該当する。
【背景技術】
【０００６】
本件出願人は、静止モードでは操作ボタンやバルブを覆って保護し、作動モードではエアゾール容器から取り外されてしまうキャップを、使用済みエアゾールにおけるガス抜き状態の自己保持部材として作用させる、すなわち当該キャップをガス抜き用治具として用いることを提案している（例えば、特許文献１参照）。
【０００７】
このキャップを用いて使用済みエアゾールのガス抜き処理を行なうときの利用者の作業手順は次のようになる。
(1)キャップをエアゾール容器から取り外す。
(2)いわば出力弁として作用するステムから操作ボタンを取り外す。
(3)先に取り外したキャップでステムを通常の作動モード（操作ボタンが押されて内容物が外部空間に放出される状態）の位置まで押下げて、当該キャップの一部を容器本体側のマウンティングカップに係合させる。
【０００８】
この係合によりステムは作動モードと同じ状態に保持され、エアゾール容器内の残留ガスは確実に外部空間に流出していく。
【特許文献１】特開２００４−７５１２４号公報
【発明の開示】
【発明が解決しようとする課題】
【０００９】
このように、提案済みの、操作ボタン保護用のキャップを利用したガス抜き用治具は、エアゾール式製品全体の構成部品点数を特に増やすことなしに使用済みエアゾールのガス抜き状態（＝ステムを作動モード対応位置に移動させた状態）を簡単・確実に設定できるといった利点を有するものである。
【００１０】
ただ、ガス抜き状態設定用のキャップで操作ボタンを押下げるのではなく、ステムを押し下げることになる。すなわち操作ボタンをステムから取り外すといった作業を行なうことが前提になっている。
【００１１】
そのため、利用者によってはガス抜き状態の設定手順にいくらかの煩雑感を覚えることもあり、上述の提案はこの点で改善の余地を残したものとなっている。
【００１２】
そこで、本発明では、ガス抜き用治具をエアゾール容器と分離可能な形で一体化させておき、ガス抜きに際しては、この分離後の治具を、操作ボタンなどのアクチュエータに取り付けた後で、当該操作ボタンなどを作動モード対応位置まで移動させて当該治具をエアゾール容器に係合させるようにして、すなわち操作ボタンなどのアクチュエータをステムから取り外すといった中間作業を不要にして、ガス抜きの作業手順の簡単化を図ることを目的とする。
【００１３】
また、ガス抜き用治具の全体形状としても、操作ボタンなどのアクチュエータに取り付けられ部分と、エアゾール容器に係合する部分とが少なくとも存在すればよいようにして、当該ガス抜き用治具自体の小型化やその製造の容易化を図ることを目的とする。
【００１４】
また、エアゾール容器のカバー体とガス抜き用治具などとを一体成形し、さらには当該治具の形態を既存のアクチュエータの一部に取り付けることができるものにして、すなわち当該治具の取付部をアクチュエータに新設しないようにして、ガス抜き用治具の設置にともなうコスト増を少なくするとともに、エアゾール容器の構成要素の有効活用を図ることを目的とする。
【課題を解決するための手段】
【００１５】
本発明は、以上の課題を次のようにして解決する。
（１）エアゾール式製品の作動モード設定用のアクチュエータ（例えば後述の操作ボタン６，１６）をその作動モード対応位置に保持して容器内部の残留ガスを外部空間に放出するためのガス抜き用治具（例えば後述の治具４，１４）において、分離可能な状態でエアゾール容器と一体化され、前記アクチュエータに取り付けられる被取付け部（例えば後述の突状部４ｄ，筒状部１４ｃ）と、前記エアゾール容器に係合する被係合部（例えば後述の段部４ｃ，１４ｄ）とを少なくとも備えた構成とする。
（２）上記（１）において、作動モード時にも前記エアゾール容器の容器本体（例えば後述の容器本体１）と嵌合したままのカバー体（例えば後述のカバー体３，１３）と一体成形されたもので、かつ、前記被取付け部として、既存の前記アクチュエータ自体の放出口側凹状部（例えば後述の凹状部１６ｂ）に対応の筒状部（例えば後述の筒状部１４ｃ）を形成したものである。
（３）エアゾール式製品の作動モード設定用のアクチュエータ（例えば後述の操作ボタン６，１６）をその作動モード対応位置に保持することにより、容器内部の残留ガスを外部空間へ放出するガス抜き用構造において、分離可能な状態でエアゾール容器と一体化されて、かつ、前記アクチュエータに取り付けられる被取付け部（例えば後述の突状部４ｄ，筒状部１４ｃ）と、当該エアゾール容器に係合する被係合部（例えば後述の段部４ｃ，１４ｄ）とを少なくとも備えたガス抜き用治具（例えば後述の治具４，１４）を有し、前記エアゾール容器は、前記ガス抜き用治具の前記被係合部に対する係合部（例えば後述の開口部３ｃ，内面縁部１３ｂ）を備えたものとする。
（４）上記（３）において、前記ガス抜き用治具は、作動モード時にも前記エアゾール容器の容器本体（例えば後述の容器本体１）に嵌合したままのカバー体（例えば後述のカバー体３，１３）と一体成形され、かつ、前記被取付け部として既存の前記アクチュエータ自体の放出口側凹状部（例えば後述の凹状部１６ｂ）に対応の筒状部（例えば後述の筒状部１４ｃ）を形成したものである、
【００１６】
このような構成からなるガス抜き用治具およびガス抜き用構造キャップ、さらにはこのガス抜き用構造を備えたエアゾール式製品を本発明の対象としている。
【発明の効果】
【００１７】
本発明は、このように、使用済みで廃棄対象のエアゾール式製品のガス抜きを行なう際には、エアゾール容器から分離させたガス抜き用治具を操作ボタンなどのアクチュエータに取り付けた後で、このアクチュエータを作動モード対応位置まで移動させて当該治具をエアゾール容器に係合させるようにしているので、操作ボタンなどのアクチュエータをステムから取り外すといった中間作業を不要にして、ガス抜きの作業手順の簡単化を図ることができる。
【００１８】
また、ガス抜き用治具を、アクチュエータに取り付けられ部分とエアゾール容器に係合する部分とからなる形態にしているので、当該ガス抜き用治具自体の小型化やその製造の容易化を図ることができる。
【００１９】
また、エアゾール容器のカバー体をガス抜き用治具など含む態様で一体成形し、さらには既存のアクチュエータの放出口側に取り付けられる形態の治具にしているので、ガス抜き用治具の付加にともなうコスト増を抑えるとともに、これまでの金型で作成されるアクチュエータの有効活用を図ることができる。
【発明を実施するための最良の形態】
【００２０】
図１乃至図４を用いて本発明を実施するための最良の形態を説明する。
【００２１】
ここで、
図１は、操作ボタンの新設孔部に取り付ける形式のガス抜き用治具の使用態様を示し、
図２は、図１のガス抜き用治具の使用モード（＝ガス抜きモード）であって、(a)はガス抜きモード解除用片部を形成していないガス抜き用治具の場合を、(b)はガス抜きモード解除用の突出片部を形成したガス抜き用治具の場合をそれぞれ示し、
図３は、操作ボタンの既設孔部に取り付ける形式のガス抜き用治具の使用態様を示し、
図４は、図３のガス抜き用治具の使用モード（＝ガス抜きモード）であって、(a)はガス抜きモード解除用片部を形成していないガス抜き用治具の場合を、(b)はガス抜きモード解除用の突出片部を形成したガス抜き用治具の場合をそれぞれ示している。
【００２２】
図１および図２において、
１はブリキ製の容器本体，１ａは缶胴，１ｂは目金部，１ｃはこれら缶胴および目金部の巻締部分に生成される下側環状凹部，１ｄは当該目金部と後述のマウンティングカップ２との巻締部分に生成される上側環状凹部，
２は目金部１ｂの開口端部に取り付けられてハウジング（図示省略）を保持するマウンティングカップ，
３は容器本体１に取り付けられたカバー体，３ａは下側環状凹部１ｃと嵌合する環状の下側アンダーカット（突状部），３ｂは上側環状凹部１ｄと嵌合する環状の上側アンダーカット（突状部），３ｃはガス抜きモードにおいて後述の治具４の段部４ｃと係合する開口部，３ｄは内容物通過用の入力側筒状部，３ｅは当該入力側筒状部に続く下流側通路，３ｆは後述の操作ボタン６をその両側面から挟み込む形で保護する一対の壁状起立部，３ｇは後述のノズル７が回動可能な形で取り付けられるアタッチメント部，
４はカバー体３と一体成形されてガス抜きモードへの移行時に楔作用を呈するガス抜き用の治具，４ａはカバー体３とつながっている薄肉状の接続片（三個），４ｂはガス抜きモードにおいて後述の操作ボタン６の孔部６ｄと嵌合する突状部，４ｃは同じくガス抜きモードにおいてカバー体３の開口部３ｃと係合する段部，４ｄは当該段部へと続く部分であってガス抜きモードへの移行時の当該治具とカバー体３の対応内周面との間の一時的な逃げ動作を案内するテーパ部，４ｅは当該治具の係合状態を解除するための突出片部，
５はハウジング（図示省略）の内部に下側部分が配されてステムガスケット（図示省略）とともに内容物の出力弁として作用するステム，
６はカバー体３の入力側筒状部３ｄおよびステム５に取り付けられた操作ボタン（アクチュエータ），６ａは当該入力側筒状部と嵌合する貫通部，６ｂはステム５の上端部分と係合する開口部，６ｃは当該貫通部と当該開口部との間の上流側通路，６ｄは治具４の突状部４ｂと嵌合する孔部，
７はカバー体３のアタッチメント部３ｇに取り付けられて回動可能な長尺ノズル，
をそれぞれ示している。
【００２３】
また、図３および図４の構成要素の中で形状，構造などが図１および図２のそれと異なっているのはカバー体１３や治具１４，操作ボタン１６であり、
１３は容器本体１に取り付けられたカバー体，１３ａは上側環状凹部１ｄと嵌合する環状のアンダーカット（突状部），１３ｂはガス抜きモードにおいて後述の治具１４の段部１４ｄと係合する上開口側（操作ボタン１６の噴口対応側）の内面縁部，１３ｃは操作ボタン１６をその両側面から挟み込む形で保護する一対の壁状起立部，
１４はカバー体１３と一体成形されてガス抜きモードへの移行時に楔作用を呈するガス抜き用の治具，１４ａはカバー体１３とつながっている薄肉状の接続片（三個），１４ｂは
ガス抜き用の孔部，１４ｃはガス抜きモードにおいて操作ボタン１６の凹状部１６ｂと嵌合する筒状部，１４ｄは同じくガス抜きモードにおいてカバー体１３の内面縁部１３ｂと係合する段部，１４ｅは当該段部へと続く部分であってガス抜きモードへの移行時の当該治具とカバー体１３の対応内周面との間の一時的な逃げ動作を案内するテーパ部，１４ｆは当該治具の係合状態を解除するための突出片部，
１６はステム５に取り付けられた操作ボタン（アクチュエータ），１６ａは内容物の噴口，１６ｂは当該噴口の外側に続く凹状部，１６ｃはステム５の上端部分と係合する開口部，１６ｄは当該噴口と当該開口部との間の通路，
をそれぞれ示している。その他の参照番号は図１および図２の場合と同じである。
【００２４】
ここで、カバー体３，１３およびガス抜き用の治具４，１４の材質は、ポリプロピレン，ポリエチレン，ナイロン，ポリアセタール，ポリブチレンテレフタレートなどのプラスチックである。
【００２５】
また、カバー体３，１３と一体の治具４，１４は当該カバー体の外周面から飛び出てはいないので、エアゾール式製品全体の外観も治具なしの場合と同じようにきれいなものになっている。
【００２６】
また、治具４の突状部４ｂおよび治具１４の筒状部１４ｃは、利用者がこれらの治具をカバー体３，１３から取り外すときのいわば把持部としても作用する。
【００２７】
また、図１および図２のカバー体３および長尺ノズル７はいわゆる２ウェイ噴射方式に対応しており、この回動ノズルを用いた２ウェイ噴射自体は周知のものである（例えば特開２００４−７５１２４号公報参照）。
【００２８】
図示していないが、カバー体３の下流側通路３ｅに続く部分には、
・（図３，図４の噴口１６ａに対応の）噴口
・当該通路と、当該噴口または長尺ノズル７の一方とを選択的に連通させるための通路切換え部
などが設けてある。
【００２９】
また、ガス抜きモード（および作動モード）における容器内部の放出用ガスや内容物の流れ経路は、
・図１，図２の場合は、容器本体１−ステム５−操作ボタン６の上流側通路６ｃ−カバー体３の入力側筒状部３ｄ−カバー体３の下流側通路３ｅ−（図３，図４の噴口１６ａに対応の）噴口／長尺ノズル７
・図３，図４の場合は、容器本体１−ステム５−操作ボタン１６の通路１６ｄ−操作ボタン１６の噴口１６ａ−操作ボタン１６の凹状部１６ｂ−治具１４の孔部１４ｂ
材に対応の）噴口／長尺ノズル７
といったそれぞれのルートになる。
【００３０】
図１〜図４のガス抜き用構造の主たる特徴は、
(a)カバー体３，１３およびガス抜き用の治具４，１４を金型で一体成形したこと、
(b)廃棄対象のエアゾール容器のガス抜きを行なう際には、治具４，１４をカバー体３，１３から外して操作ボタン６，１６にそれぞれ取り付け、その後、当該操作ボタンを押下げて当該治具を当該カバー体に係合させること、
である。
【００３１】
このときの治具４，１４それぞれの取付け状態および係合状態は、
・治具４の場合、突状部４ｂが操作ボタン６の孔部６ｄに取り付けられ、また段部４ｃがカバー体３の開口部３ｃ（の上端部分）に係合し、
・治具１４の場合、筒状部１４ｃが既存の操作ボタン１６の凹状部１６ｂに取り付けられ、また段部１４ｄがカバー体１３の内面縁部１３ｂに係合した、
かたちになっている。
【００３２】
そのため、使用済みのエアゾール容器のガス抜きを行なおうとする利用者は、治具４，１４をカバー体３，１３から例えば切り取って操作ボタン６，１６に固定した上で、当該操作ボタンを、通常の作動モード設定のときと同じように単に押し下げればよい。
【００３３】
すなわち、治具４，１４は、操作ボタン６，１６をステム５から取り外すといった作業を要することなく当該操作ボタンとともにガス抜きモードに自己保持される。
【００３４】
なお、操作ボタン６は、カバー体３と一体化されたレバー式となっており、その押下げ操作時には当該カバー体の入力側筒状部３ｄといっしょにその基部を中心にして図示時計方向に回動しながら下方に移動する。
【００３５】
入力側筒状部３ｄが回動できるのは、その材質のプラスチックが外力に対する変形作用を有しているからである。すなわち、変形入力側筒状部３ｄは上述のようにプラスチック製のものであって、当該入力側筒状部の基部が変形可能である。
【００３６】
操作ボタン１６は、カバー体１３から完全に分離されて独立したものであり、その押下げ操作時には単独で下方に移動する。
【００３７】
このような操作ボタン６，１６いずれの場合も、治具４，１４を取り付けた状態で押下げると、先ずそれぞれのテーパ部４ｄ，１４ｅがカバー体１３に当たって当該操作ボタンの下方への移動にとっての障害となる。
【００３８】
その一方で、テーパ部４ｄ，１４ｅおよびカバー体１３の当接部分は互いに相手から外力を受けて逃げる方向にいくらか変形する。外力を受けなくなると当該変形は元の状態に戻る。
【００３９】
この変形にともなって、治具４，１４は、それぞれのテーパ部４ｄ，１４ｅがカバー体３，１３の対応当接部分を通りすぎていき、最終的には図２および図４で示すようにそれぞれの段部４ｃ，１４ｄが当該カバー体の開口部３ｃ（の上端部分），内面縁部１３ｂに係合したガス抜き状態へと移行する。
【００４０】
そして、ステム５はハウジング内のスプリング（図示省略）により上方向の弾性力を受けているので、図示のガス抜き状態（＝カバー体３，１３と治具４，１４との係合状態）は安定的に保持される。
【００４１】
図２(b)および図４(b)の治具４，１４は、カバー体３，１３との係合状態を解除するための突出片部４ｄ，１４ｆを形成している。この突出片部は、図示の使用モードにいったん設定したカバー体と治具との係合状態を解除したい場合などに用いられる。
【００４２】
なお、図３および図４の治具１４を用いたガス抜き構造の場合、本発明で新たに手を加えたのは治具のみであって、その取付け相手の操作ボタン１６および係合相手のカバー体１３としてはともに既存のものを用いている。したがってエアゾール容器の各要素（構成部品）の有効活用を図ることができる。
【００４３】
使用モードの治具１４は、テーパ部１４ｅがカバー体１３と操作ボタン１６との（もともと存在していた）隙間部分に嵌った状態になっている。
【００４４】
なお、本発明が図示の内容に限定されないことは勿論であり、例えば、
(11)ガス抜き用の治具を、キャップや長尺ノズル，容器本体などと一体化した態様のものとして形成する、
(12)ガス抜き用の治具の係合相手として、カバー体以外のマウンティングカップや容器本体などを用いる、
(13)アクチュエータとして、泡沫用スパウトや櫛形アクチュエータ，頭皮タッチ式アクチュエータなどの任意のものを用いる、
(14)バルブとして、プッシュダウン式バルブやチルト式バルブ，ねじ式バルブなどの任意のものを用いる、
(15)容器として、アルミニウム容器やガラス容器，プラスチック容器などを用いる、
といったように選択的に変更してもよい。
【００４５】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４６】
容器本体に収納する内容物は、例えば、粉状物，油成分，アルコール類，界面活性剤，高分子化合物，各用途に応じた有効成分などである。
【００４７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４９】
アルコール類としては、エタノールなどの１価の低級アルコール，ラウリルアルコールなどの１価の高級アルコール，エチレングリコールなどの多価アルコールなどを用いる。
【００５０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５１】
高分子化合物としては、メチルセルロース，ゼラチン，デンプン，カゼインなどを用いる。
【００５２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５３】
さらに、上記内容物以外の、懸濁剤，紫外線吸収剤，乳化剤，保湿剤，酸化防止剤、金属イオン封鎖剤なども用いることができる。
【００５４】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００５５】
【図１】本発明の、操作ボタンの新設孔部に取り付ける形式のガス抜き用治具の使用態様を示す説明図である。
【図２】本発明の、図１のガス抜き用治具の使用モード（＝ガス抜きモード）であって、(a)はガス抜きモード解除用片部を形成していないガス抜き用治具の場合を示す説明図であり、(b)はガス抜きモード解除用の突出片部４ｅを形成したガス抜き用治具の場合を示す説明図である。
【図３】本発明の、操作ボタンの既設孔部に取り付ける形式のガス抜き用治具の使用態様を示す説明図である。
【図４】本発明の、図３のガス抜き用治具の使用モード（＝ガス抜きモード）であって、(a)はガス抜きモード解除用片部を形成していないガス抜き用治具の場合を示す説明図であり、(b)はガス抜きモード解除用の突出片部１４ｆを形成したガス抜き用治具の場合を示す説明図である。
【符号の説明】
【００５６】
１：容器本体
１ａ：缶胴
１ｂ：目金部
１ｃ：下側環状凹部
１ｄ：上側環状凹部
２：マウンティングカップ
３：カバー体
３ａ：環状の下側アンダーカット（突状部）
３ｂ：環状の上側アンダーカット（突状部）
３ｃ：開口部
３ｄ：内容物通過用の入力側筒状部
３ｅ：下流側通路
３ｆ：一対の壁状起立部
３ｇ：アタッチメント部
４：ガス抜き用の治具
４ａ：薄肉状の接続片（三個）
４ｂ：突状部
４ｃ：段部
４ｄ：テーパ部
４ｅ：突出片部
５：ステム
６：操作ボタン（アクチュエータ）
６ａ：貫通部
６ｂ：開口部
６ｃ：上流側通路
６ｄ：孔部
７：回動可能な長尺ノズル，
１３：カバー体
１３ａ：環状のアンダーカット（突状部）
１３ｂ：内面縁部
１３ｃ：一対の壁状起立部
１４：ガス抜き用の治具
１４ａ：薄肉状の接続片（三個）
１４ｂ：ガス抜き用の孔部
１４ｃ：筒状部
１４ｄ：段部
１４ｅ：テーパ部
１４ｆ：突出片部
１６：操作ボタン
１６ａ：内容物の噴口
１６ｂ：凹状部
１６ｃ：開口部
１６ｄ：通路
【図１】
2006027719.tif 000003
【図２】
2006027719.tif 000004
【図３】
2006027719.tif 000005
【図４】
2006027719.tif 000006